(57)【要約】【課題】カメラモジュールの金属ケースなど、保護テープを貼り付ける対象である被着体に保護テープの糊成分が転写したり、この被着体の表面処理部分が保護テープの糊成分によりダメージを受けたりするといった不具合を招くことなく被着体から剥すことができる保護テープを得る。【解決手段】内部に磁石を含むカメラモジュール（被着体）１５０に着脱可能に貼り付ける保護テープ１００を、絶縁性層からなるテープ基材と、該絶縁性層に塗布された磁性体とを含み、該保護テープをカメラモジュールに近づけたとき、該保護テープ１００の磁性体が、該カメラモジュール内の磁石に反応して該カメラモジュールに吸着する構成とした。【選択図】図１
2013242367.tif 000002
【特許請求の範囲】
【請求項１】
内部に磁石を含む被着体に着脱可能に貼り付ける保護テープであって、
絶縁性層からなるテープ基材と、
該絶縁性層に付着あるいは混入された磁性体と
を含み、
該テープ基材を該被着体に近づけたとき、該磁性体が、該被着体に含まれている磁石に反応して、該テープ基材が該被着体に吸着するように構成されている、保護テープ。
【請求項２】
前記テープ基材は、
前記被着体の表面を被覆して該被着体を保護する被着体保護部分と、
該被着体保護部分の周縁から突出するよう形成され、該テープ基材を掴むための把持片とを含む、請求項１に記載の保護テープ。
【請求項３】
前記テープ基材を構成する絶縁性層は樹脂材料により構成されている、請求項２に記載の保護テープ。
【請求項４】
前記樹脂材料は、
前記テープ基材が自重により変形しないように前記把持部により保持可能な程度の剛性と、
柔軟に曲がる可撓性とを有する、請求項３に記載の保護テープ。
【請求項５】
前記樹脂材料はポリエチレンテレフタレートである、請求項３に記載の保護テープ。
【請求項６】
前記テープ基材を構成する絶縁性層の表面には、前記磁性体として鉄粉が塗布されている、請求項１に記載の保護テープ。
【請求項７】
前記テープ基材を構成する絶縁性層の表面には、前記磁性体を含む磁性体層が形成されている、請求項１に記載の保護テープ。
【請求項８】
前記テープ基材を構成する絶縁性層には、前記磁性体として鉄粉が練り込まれている、請求項１に記載の保護テープ。
【請求項９】
前記被着体は、電子機器を構成する複数の部品を筐体内に組み込んでなる電子部品モジュールである、請求項１に記載の保護テープ。
【請求項１０】
前記筐体は、前記磁石に反応しない導電性材料により構成されている、請求項９に記載の保護テープ。
【請求項１１】
前記導電性材料は、ステンレスである、請求項１０に記載の保護テープ。
【請求項１２】
前記筐体は、絶縁性材料により構成されている、請求項９に記載の保護テープ。
【請求項１３】
前記電子部品モジュールは、前記部品として、少なくとも被写体を撮像する固体撮像素子と、該被写体からの光を該固体撮像素子に導く光学系とを含むカメラモジュールであり、
該光学系は、該被写体からの光を集光するレンズと、該レンズを保持するレンズホルダと、該レンズが光軸方向に移動可能となるように該レンズホルダを保持するバネ部材と、該レンズホルダに取り付けられた第１の磁石と、該第１の磁石との間で磁力が作用するよう配置された第２の磁石と、該レンズと該固体撮像素子との間に配置された赤外線カットフィルタとを含み、
該第１の磁石と該第２の磁石の一方が永久磁石であり、該第１の磁石と該第２の磁石の他方が電磁石である、請求項９から請求項１２のいずれか１項に記載の保護テープ。
【請求項１４】
前記電子部品モジュールの筐体の、前記レンズに対向する部分には開口部が形成されている、請求項１３に記載の保護テープ。
【請求項１５】
電子機器を構成する複数の部品からなる電子部品モジュールに保護テープを貼り付けて該電子部品モジュールを梱包する方法であって、
該電子部品モジュールの筐体には該部品として磁石が収納され、該筐体の一部には開口部が形成されており、
該保護テープは、
絶縁性層からなるテープ基材と、
該絶縁性層に付着あるいは混入された磁性体とを含み、
該テープ基材を該筐体に近づけたとき、該磁性体が、該筐体に含まれている磁石に反応して、該テープ基材が該筐体に吸着するように構成されており、
該方法は、
クリーンルーム内で、該電子部品モジュールに該保護テープを該筐体の開口部が塞がれるように貼り付けるステップと、
該保護テープを貼り付けた電子部品モジュールを搬送用トレイに収納するステップと、
該電子部品モジュールを収納した搬送用トレイを積層して密封袋内に封入して段ボール箱に収納するステップとを含む、
電子部品モジュールの梱包方法。
【発明の詳細な説明】
【技術分野】
【０００１】
本発明は、保護テープおよび電子部品モジュールの梱包方法に関し、特に、電子機器を構成する複数の部品からなる電子部品モジュールの保護のためにこの電子部品モジュールに貼り付ける保護テープ、およびこの保護テープを電子部品モジュールに貼り付けて電子部品モジュールを梱包する方法に関するものである。
【背景技術】
【０００２】
従来から、電子機器を構成する複数の部品からなる電子部品モジュールとしては、例えば、携帯電話などの電子機器に搭載されるカメラモジュールがある。
【０００３】
図９は、このようなカメラモジュールに貼り付ける保護テープを説明する図であり、図９（ａ）は、この保護テープをカメラモジュールに貼り付ける様子を示し、図９（ｂ）は、この保護テープの断面構造を示している。
【０００４】
このカメラモジュール５０は、部品として、イメージセンサ、このイメージセンサに外部からの光を導くレンズ、およびこのレンズを移動させる機構などを含んでおり、これらの部品は金属ケース５１により覆われており、これによりレンズなどの部品が保護され、また内部の電子回路で発生する電磁波がシールドされるようにしている。また、この金属ケース５１の、レンズに対向する部分には、外部からの光を金属ケース内のレンズに導くための開口部５１ａが形成されている。
【０００５】
なお、このカメラモジュール５０では、金属ケース５１の上面５２が図９（ａ）に示すように黒く塗装されている。これは、カメラモジュール５０を携帯電話などの電子機器に搭載したときに、金属ケース５１が光の反射により光って見えるのを抑えるためである。
【０００６】
ところで、このようなカメラモジュール５０では、金属ケース５１のレンズに対向する部分に開口部５１ａが形成されており、搬送中にレンズにゴミなどの異物が付着したり、他の部材との接触によりレンズに傷が付いたり、あるいはレンズが汚れたりするのを防止するため、カメラモジュール５０は、その製造後、保護テープ２００を金属ケース５１の上面５２に開口部５１ａを塞ぐように貼り付けた状態で搬送するようにしている。
【０００７】
ここで、保護テープ２００は、金属ケース５１を保護する円形形状のケース保護部分２０１と、この円形形状のケース保護部分２０１の周縁部から外側に突出するよう形成され、保護テープを掴むための把持片２０１ａとを有している。また、この保護テープ２００のケース保護部分２０１および把持片２０１ａは、例えば、ポリエチレンテレフタレート（ＰＥＴ樹脂）からなるテープ基材２１０の接着面に粘着剤を塗布して糊成分層２１１を形成した構造となっている。
【０００８】
図１０は、従来の保護テープを用いてカメラモジュールを梱包して搬送する方法を説明する図であり、図１０（ａ）は、カメラモジュールに保護テープを貼り付けた状態を示し、図１０（ｂ）は、保護テープを貼り付けたカメラモジュールを搬送する搬送用トレイを示している。なお、図１０（ｂ）では、Ｘ部分について具体的な構造を示している。
【０００９】
この搬送用トレイ２０は、プラスチック製シートの真空成形により形成したトレイ容器２１からなり、このトレイ容器２１は、カメラモジュール５０を収納する収納部として、その上面２２に形成された凹部からなる部品収納ポケットＳｐを有している。
【００１０】
次に、カメラモジュール５０の梱包方法について具体的に説明する。
【００１１】
カメラモジュール５０の作成後、カメラモジュール５０の金属ケース５１の上面５２に開口部５２ａを塞ぐように保護テープ２００を貼り付け、保護テープ２００を貼り付けた状態で、カメラモジュール５０を搬送用トレイ２０の各部品収納ポケットＳｐに収納する。このようにしてカメラモジュール５０を収納した搬送用トレイ２０を複数段積み重ね、積み重ねた複数の搬送用トレイをビニール袋に入れてこれらの搬送用トレイを段ボール箱に収納する。搬送元では、このようにしてカメラモジュール５０の梱包を行う。
【００１２】
一方、搬送先では、段ボール箱から搬送用トレイ２０を取り出してビニール袋を取り除き、さらに、搬送用トレイ２０からカメラモジュール５０を取り出し、その後、カメラモジュール５０に貼り付けた保護テープ２００を剥してカメラモジュール５０を携帯電話などの電子機器に組み込む。
【００１３】
このように、カメラモジュール５０を搬送する際には、カメラモジュール５０の金属ケース５１の開口部５１ａには保護テープ２００を貼り付けるようにし、カメラモジュール５０の完成後からカメラモジュール５０が搬送先の工場に到着して部品として使われるまでの間に、カメラモジュール５０のレンズにゴミや傷が付いたり、内部にゴミが侵入したりするのを防ぐようにしている。
【００１４】
なお、特許文献１には、イメージセンサにおいて、パッケージ内に受光素子としての半導体チップを搭載し、この半導体チップの光学素子領域（撮像領域）上に透光部材を配置して光学素子領域を保護したものが開示されており、このイメージセンサでは、はんだ実装等の組立工程で透光部材の表面にダストが付着するのを防止するために、保護テープが透光部材の表面を覆うように粘着剤によりイメージセンサの表面に貼り付けられている。
【先行技術文献】
【特許文献】
【００１５】
【特許文献１】特開２０１０−１１４３８２号公報
【発明の概要】
【発明が解決しようとする課題】
【００１６】
しかしながら、上記従来の保護テープ２００では、カメラモジュールの輸送経路や保管場所での環境（例えば、温度や湿度）によっては、保護テープ２００を剥したときに、保護テープ２００の接着面の糊成分がカメラモジュールの金属ケースに転写するという問題がある。
【００１７】
また、カメラモジュール５０の金属ケース５１の上面に黒の塗装が施されている場合、保護テープ２００の剥離とともに、塗装が剥がれることがある。
【００１８】
このようなカメラモジュール５０の金属ケース５１への糊成分の転写や金属ケース５１の塗装の剥離は、保護テープ２００をカメラモジュール５０の金属ケース５１に貼り付けた後の環境、特に湿度の影響により、保護テープ２００の糊成分が変質してカメラモジュール５０の金属ケース５１との接着強度が増すことが原因と考えられる。
【００１９】
また、特許文献１に開示のイメージセンサの表面を保護する保護テープについても、粘着剤によりイメージセンサの表面に接着しているため、上述した保護テープ２００と同様に粘着剤がイメージセンサの表面に転写するといった問題がある。
【００２０】
本発明は、上記のような問題点を解決するためになされたものであり、カメラモジュールなど、保護テープを貼り付ける対象である被着体に保護テープの構成材料が転写するといった不具合を招くことなく被着体から剥すことができ、しかも、この被着体の塗装部分などの表面処理部分が保護テープの構成材料によりダメージを受けることがない保護テープ、およびこのような保護テープを用いた電子部品モジュールの梱包方法を得ることを目的とする。
【課題を解決するための手段】
【００２１】
本発明に係る保護テープは、内部に磁石を含む被着体に着脱可能に貼り付ける保護テープであって、絶縁性層からなるテープ基材と、該絶縁性層に付着あるいは混入された磁性体とを含み、該テープ基材を該被着体に近づけたとき、該磁性体が、該被着体に含まれている磁石に反応して、該テープ基材が該被着体に吸着するように構成されており、そのことにより上記目的が達成される。
【００２２】
本発明は、上記保護テープにおいて、前記テープ基材は、前記被着体の表面を被覆して該被着体を保護する被着体保護部分と、該被着体保護部分の周縁から突出するよう形成され、該テープ基材を掴むための把持片とを含むことが好ましい。
【００２３】
本発明は、上記保護テープにおいて、前記テープ基材を構成する絶縁性層は樹脂材料により構成されていることが好ましい。
【００２４】
本発明は、上記保護テープにおいて、前記樹脂材料は、前記テープ基材が自重により変形しないように前記把持部により保持可能な程度の剛性と、柔軟に曲がる可撓性とを有することが好ましい。
【００２５】
本発明は、上記保護テープにおいて、前記樹脂材料はポリエチレンテレフタレートであることが好ましい。
【００２６】
本発明は、上記保護テープにおいて、前記テープ基材を構成する絶縁性層の表面には、前記磁性体として鉄粉が塗布されていることが好ましい。
【００２７】
本発明は、上記保護テープにおいて、前記テープ基材を構成する絶縁性層の表面には、前記磁性体を含む磁性体層が形成されていることが好ましい。
【００２８】
本発明は、上記保護テープにおいて、前記テープ基材を構成する絶縁性層には、前記磁性体として鉄粉が練り込まれていることが好ましい。
【００２９】
本発明は、上記保護テープにおいて、前記被着体は、電子機器を構成する複数の部品を筐体内に組み込んでなる電子部品モジュールであることが好ましい。
【００３０】
本発明は、上記保護テープにおいて、前記筐体は、前記磁石に反応しない導電性材料により構成されていることが好ましい。
【００３１】
本発明は、上記保護テープにおいて、前記導電性材料は、ステンレスであることが好ましい。
【００３２】
本発明は、上記保護テープにおいて、前記筐体は、絶縁性材料により構成されていることが好ましい。
【００３３】
本発明は、上記保護テープにおいて、前記電子部品モジュールは、前記部品として、少なくとも被写体を撮像する固体撮像素子と、該被写体からの光を該固体撮像素子に導く光学系とを含むカメラモジュールであり、該光学系は、該被写体からの光を集光するレンズと、該レンズを保持するレンズホルダと、該レンズが光軸方向に移動可能となるように該レンズホルダを保持するバネ部材と、該レンズホルダに取り付けられた第１の磁石と、該第１の磁石との間で磁力が作用するよう配置された第２の磁石と、該レンズと該固体撮像素子との間に配置された赤外線カットフィルタとを含み、該第１の磁石と該第２の磁石の一方が永久磁石であり、該第１の磁石と該第２の磁石の他方が電磁石であることが好ましい。
【００３４】
本発明は、上記保護テープにおいて、前記電子部品モジュールの筐体の、前記レンズに対向する部分には開口部が形成されていることが好ましい。
【００３５】
本発明に係る電子部品モジュールの梱包方法は、電子機器を構成する複数の部品からなる電子部品モジュールに保護テープを貼り付けて該電子部品モジュールを梱包する方法であって、該電子部品モジュールの筐体には該部品として磁石が収納され、該筐体の一部には開口部が形成されており、該保護テープは、絶縁性層からなるテープ基材と、該絶縁性層に付着あるいは混入された磁性体とを含み、該テープ基材を該筐体に近づけたとき、該磁性体が、該筐体に含まれている磁石に反応して、該テープ基材が該筐体に吸着するように構成されており、該方法は、クリーンルーム内で、該電子部品モジュールに該保護テープを該筐体の開口部が塞がれるように貼り付けるステップと、該保護テープを貼り付けた電子部品モジュールを搬送用トレイに収納するステップと、該電子部品モジュールを収納した搬送用トレイを積層して密封袋内に封入して段ボール箱に収納するステップとを含んでおり、そのことにより上記目的が達成される。
【００３６】
次に作用について説明する。
【００３７】
本発明においては、内部に磁石を含む被着体に着脱可能に貼り付ける保護テープを、絶縁性層からなるテープ基材と、該絶縁性層に付着あるいは混入された磁性体とを含み、該テープ基材を該被着体に近づけたとき、該磁性体が、該被着体に含まれている磁石に反応して、該テープ基材が該被着体に吸着するように構成したので、保護テープが磁力により被着体に固着されることとなる。このため、保護テープには、保護テープを貼り付けた被着体の輸送経路や保管場所での環境（例えば、温度や湿度）によって特性変化が生ずるような材料（粘着剤としての糊成分）を用いる必要がなくなり、このような構成材料の特性変化によって引き起こされる、被着体への糊成分の転写及び表面処理部分に対するダメージを防止することができる。
【００３８】
つまり、電子部品モジュール（カメラモジュール）など、保護テープを貼り付ける対象である被着体に保護テープの構成材料（糊成分）が転写するといった不具合を招くことなく、被着体に貼り付けた保護テープを被着体から剥すことができ、しかも、この被着体の塗装部分などの表面処理部分が保護テープの構成材料（糊成分）によりダメージを受けることもない。
【００３９】
また、本発明においては、上記保護テープにおいて、前記テープ基材を構成する絶縁性層には、前記磁性体として鉄粉を練り込んでいるので、電子部品モジュールなどの被着体の表面に保護テープを貼り付ける際に、被着体の表面と鉄粉などの磁性体との接触により、被着体の表面に傷が付いたり、被着体の塗装部分などの表面処理部分が削れたりするのを防ぐことができる。
【発明の効果】
【００４０】
以上のように、本発明によれば、内部に磁石を含む被着体に着脱可能に貼り付ける保護テープを、絶縁性層からなるテープ基材と、該絶縁性層に付着あるいは混入された磁性体とを含み、該テープ基材を該被着体に近づけたとき、該磁性体が、該被着体に含まれている磁石に反応して、該テープ基材が該被着体に吸着するように構成したので、電子部品モジュールなど、保護テープを貼り付ける対象である被着体に保護テープの構成材料が転写するといった不具合を招くことなく被着体から剥すことができ、しかも、この被着体の塗装部分などの表面処理部分が保護テープの構成材料によりダメージを受けることがない保護テープ、およびこのような保護テープを用いた電子部品モジュールの梱包方法を実現することができる。
【図面の簡単な説明】
【００４１】
【図１】図１は、本発明の実施形態１による保護テープを説明する図であり、図１（ａ）は、この保護テープを、これを貼り付ける電子部品モジュールとともに立体的に示し、図１（ｂ）は保護テープの表面を示し、図１（ｃ）は電子部品モジュールの上面を示している。
【図２】図２は、本発明の実施形態１による保護テープを電子部品モジュールに貼り付けた状態を示す図であり、図２（ａ）は斜視図、図２（ｂ）は平面図である。
【図３】図３は、本発明の実施形態１および２による保護テープを説明する図であり、図３（ａ）は、本発明の実施形態１による保護テープの断面構造を模式的に示し、図３（ｂ）は、本発明の実施形態２による保護テープの断面構造を模式的に示している。
【図４】図４は、本発明の実施形態１による保護テープを貼り付ける電子部品モジュールを具体的に説明する図であり、図４（ａ）は、電子部品モジュールとしてのカメラモジュールの断面構造を示し、図４（ｂ）は、このカメラモジュールに搭載されているイメージセンサを概略的に示している。
【図５】図５は、本発明の実施形態１による保護テープを貼り付ける電子部品モジュールの他の構成例を説明する断面図である。
【図６】図６は、本発明の実施形態１による保護テープを貼り付けた電子部品モジュールの搬送に用いる搬送用トレイ（図６（ｂ））を、保護テープを貼り付けた電子部品モジュール（図６（ａ））とともに示している。
【図７】図７は、本発明の実施形態１による保護テープを貼り付けた電子部品モジュールを梱包する方法を説明する図であり、図７（ａ）は、搬送元の工場のクリーンルームから搬送路を介して搬送先の工場のクリーンルームに至る経路を模式的に示し、図７（ｂ）は、電子部品モジュールの搬送に用いる搬送用トレイを積み重ねた状態を示している。
【図８】図８は、本発明の実施形態１による保護テープを貼り付ける電子部品モジュールのそのた他の構成例を説明する斜視図であり、図８（ａ）は、電子部品モジュールに保護テープを貼り付けていない状態、図８（ｂ）は、電子部品モジュールに保護テープを貼り付けた状態を示している。
【図９】図９は、従来の保護テープを説明する図であり、図９（ａ）は、この保護テープをカメラモジュールに貼り付ける様子を示し、図９（ｂ）は、このモジュールに貼り付ける保護テープの断面構造を示している。
【図１０】図１０は、従来の保護テープを用いてカメラモジュールを梱包して搬送する方法を説明する図であり、図１０（ａ）は、カメラモジュールに保護テープを貼り付けた状態を示し、図１０（ｂ）は、保護テープを貼り付けたカメラモジュールを搬送する搬送用トレイを示している。
【発明を実施するための形態】
【００４２】
以下、本発明の実施形態について図面を参照しながら説明する。
【００４３】
（実施形態１）
図１は、本発明の実施形態１に係る保護テープを説明する図であり、図１（ａ）は、この保護テープを、これを貼り付ける電子部品モジュールとともに立体的に示し、図１（ｂ）は保護テープの表面を示し、図１（ｃ）は電子部品モジュールの上面を示している。図２は、保護テープを電子部品モジュールに貼り付けた状態を示す図であり、図２（ａ）は斜視図、図２（ｂ）は平面図である。図３（ａ）は、この実施形態１の保護テープの断面構造を模式的に示している。
【００４４】
この保護テープ１００は、内部に磁石を含む被着体１５０に着脱可能に貼り付ける保護テープであって、保護テープ１００は、被着体１５０を保護する円形形状の被着体保護部分１０１と、この被着体保護部１０１の周縁の一部に外側に突出するよう形成され、この保護テープ１００を摘むための把持片１０１ａとを有している。
【００４５】
また、この保護テープ１００の被着体保護部１０１および把持片１０１ａは、絶縁性層からなるテープ基材１１０と、この絶縁性層に塗布された磁性体１１１とを含み、保護テープ１００を被着体１５０に近づけたとき、この保護テープ１００の磁性体が、被着体１５０に含まれる磁石に反応して、保護テープ１００が該被着体１５０に吸着するように構成されている。
【００４６】
また、保護テープ１００のテープ基材１１０を構成する絶縁性層は樹脂材料により構成されている。この樹脂材料には、例えば、ポリエチレンテレフタレート（ＰＥＴ樹脂）が用いられる。ただし、樹脂材料はＰＥＴ樹脂に限定されるものではなく、テープ基材をフィルム状に薄く形成したときでも、把持部１０１ａにより保護テープ全体を円形の外形形状が崩れないように保持可能な程度の剛性（硬さ）と、柔軟に曲がる可撓性とが得られるものであればどのようなものでもよい。
【００４７】
さらに、テープ基材１１０を構成する絶縁性層の表面（接着面）には、上記磁性体１１１として鉄粉などの粉末状の磁性体が塗布されている。なお、テープ基材１１０を構成する絶縁性層の表面には、鉄粉を塗布する代わりに、この鉄粉等に代表されるような粉末状の磁性体を含んだ層を貼り合わせてもよい。
【００４８】
ここで、保護テープ１００を貼り付ける対象である被着体１５０は、例えば、電子機器を構成する複数の部品を、所定の機能を持つよう筐体内に組み込んでなる電子部品モジュールであり、その金属ケース１５１の上面１５２には、ケース開口部１５１ａが形成されており、保護テープ１００はこのケース開口部１５１ａを塞ぐように金属ケース１５１に貼り付けられる。なお、この金属ケース１５１の上面１５２は、光って見えるのを防ぐため、黒く塗装されている。
【００４９】
以下、図４を用いて詳しく説明する。
【００５０】
図４は、この電子部品モジュールを説明する図であり、図４（ａ）は、電子部品モジュールの断面構造を示し、図４（ｂ）は、この電子部品モジュールに搭載されているイメージセンサチップを示している。
【００５１】
ここでは、電子部品モジュール１５０はカメラモジュールであり、このカメラモジュール１５０は、モジュール基板１５０ａと、このモジュール基板１５０ａ上に搭載されたイメージセンサ１０と、このイメージセンサ１０を囲むよう配置された下側カバー１５３とを有し、この下側カバー１５３には、イメージセンサ１０の撮像部１１に対向するようにカバー開口部１５３ａが形成されており、このカバー開口部１５３ａ上には、被写体からの光の赤外成分を遮断する赤外線カットフィルタ１５９が配置されている。なお、ここでは、イメージセンサ１０は、撮像部１１と、これを駆動する周辺回路１２ａ〜１２ｃとを同一チップ上に形成したものであるが、イメージセンサは、撮像部１１と、これを駆動する周辺回路１２ａ〜１２ｃとを別々のチップ上に形成したものでもよい。
【００５２】
また、下側カバー１５３上には上側カバー１５４が配置されており、この上側カバー１５４内には、被写体からの光を集光するレンズ１５５と、このレンズ１５５を保持するレンズホルダ１５６と、このレンズホルダ１５６を光軸Ｌａの方向Ｙに沿って移動させるレンズ駆動機構１５０ｂが収納されている。このレンズ駆動機構１５０ｂは、上記レンズホルダ１５６に取り付けられた永久磁石１５７と、この永久磁石１５７を囲むよう配置された電磁石としてのコイル１５４とを有しており、レンズホルダ１５６は図示しないバネ部材により下側カバー１５３および上側カバー１５４に支持されている。つまり、カメラモジュール１５０はレンズ保持体としての機能を有している。
【００５３】
なお、レンズ駆動機構１５０ｂは上記のような構成に限定されるものではなく、例えば、レンズホルダには電磁石を取付け、永久磁石は上側カバー１５４に取り付けてもよい。
【００５４】
また、上記下側カバー１５３および上記上側カバー１５４はカメラモジュール１５０の内側ケースを構成しており、この内側ケースの外側には、内側ケース（つまり、下側カバー１５３および上側カバー１５４）を囲むように外側ケース１５１が設けられている。
【００５５】
ここで、カメラモジュール１５０の内側ケースを構成する下側カバー１５３および上側カバー１５４は、プラスチックなどからなる絶縁性部材により構成されており、カメラモジュール１５０の外側ケース１５１は、カメラモジュールで発生した高周波や、磁石などの磁気が外部に漏れないように、ステンレスなどの磁石に反応しない導電性部材により構成されている。このカメラモジュール１５０では、その筐体は金属ケース１５１により形成されている。
【００５６】
また、上側カバー１５４の上面壁のレンズ１５５に対向する部分には、光の通路としてのカバー開口部１５４ａが形成されており、さらに、外側ケース（以下、金属ケースともいう。）１５１の上面壁のレンズ１５５に対向する部分にはケース開口部１５１ａが形成されている。
【００５７】
なお、このカメラモジュール１５０では、金属ケース１５１の上面１５２は図１あるいは図２に示すように黒く塗装されており、これは、上述したように、このカメラモジュール１５０を携帯電話などの電子機器に搭載したときに、カメラモジュール１５０の金属ケース１５１が光って見えるのを抑えるためである。
【００５８】
そして、このようなカメラモジュール１５０は、その搬送中にレンズにゴミなどの異物が付着したり、他の部材との接触によりレンズに傷が付いたり、あるいはレンズが汚れたりするのを防止するため、その製造後に保護テープ１００を金属ケース１５１の上面１５２に貼り付けた状態で搬送される。
【００５９】
図６は、このカメラモジュール１５０の搬送に用いる搬送用トレイ（図６（ｂ））を、保護テープ１００を貼り付けたカメラモジュール１５０（図６（ａ））とともに示している。なお、図６（ｂ）では、Ｘ部分について具体的な構造を示している。
【００６０】
この搬送用トレイ２０は、図１０（ｂ）に示すものと同一のものであり、プラスチック製シートの真空成形により形成したトレイ容器２１からなり、このトレイ容器２１は、カメラモジュール１５０を収納する収納部として、その上面２２に形成された凹部からなる部品収納ポケットＳｐを有している。
【００６１】
次に、作成したカメラモジュールを梱包して搬送する方法について説明する。
【００６２】
図７は、カメラモジュールを梱包して搬送する方法を説明する図であり、搬送元の工場のクリーンルームから搬送路を介して搬送先の工場のクリーンルームに至る経路を示している。
【００６３】
具体的に説明すると、カメラモジュール１５０の作成後、クリーンルームＳ１内でカメラモジュール１５０の金属ケース１５１の上面１５２に開口部１５１ａを塞ぐように保護テープ１００を貼り付ける（図２参照）。このとき、保護テープ１００は磁性体１１１を含んでいるので、この保護テープ１００の接着面を、カメラモジュール１５０の金属ケース１５１の上面１５２に開口部１５１ａを覆うように配置することで、保護テープ１００は金属ケース１５１に吸着して固着されることとなる。
【００６４】
このように保護テープ１００を貼り付けた状態で、カメラモジュール１５０を搬送用トレイ２０の各部品収納ポケットＳｐに収納する。次に、カメラモジュール１５０を収納した搬送用トレイ２０を複数段積み重ね、積み重ねた複数の搬送用トレイ２０の全体（搬送用トレイの積層体）２０ａにビニール袋を被せ、これらの搬送用トレイ２０の積層体２０ａを段ボール箱に入れて梱包する。
【００６５】
梱包後は、段ボール箱をクリーンルームＳ１から搬出して輸送手段Ｓ２により搬送先の工場に搬送し、搬送先の工場のクリーンルームＳ３に搬入する。
【００６６】
搬送先の工場のクリーンルームＳ３では、段ボール箱から搬送用トレイ２０の積層体２０ａを取り出してビニール袋を外し、さらに個々の搬送用トレイ２０からカメラモジュール１５０を取り出す。その後、カメラモジュール１５０に貼り付けた保護テープ１００を剥してカメラモジュール１５０を携帯電話などの電子機器に組み込む。
【００６７】
このとき、保護テープ１００は、磁性体１１１とカメラモジュール１５０内の磁石との間の磁力によりカメラモジュール１５０の金属ケース１５１に吸着しているだけであるので、保護テープ１００をその把持片１０１ａを摘まんで引き剥がすことで簡単にカメラモジュール１５０の金属ケース１５１から取り外すことができる。
【００６８】
このように、カメラモジュール１５０を搬送する際には、カメラモジュール１５０の金属ケース１５１の開口部１５１ａには保護テープ１００を貼り付けるようにしているので、カメラモジュール１５０の完成後からカメラモジュール１５０が搬送先の工場に到着して部品として使われるまでの間に、カメラモジュール１５０のレンズにゴミや傷が付いたり、カメラモジュール１５０の内部にゴミが侵入したりするのを防ぐことができる。
【００６９】
また、本実施形態１では、保護テープ１００を、絶縁樹脂からなるテープ基材１１０の接着面に磁性体１１１を塗布した構造としているので、保護テープ１００は、磁性体とカメラモジュール１５０内の磁石との間の磁力によりカメラモジュール１５０の金属ケース１５１に吸着保持されることとなる。このため、保護テープ１００をカメラモジュール１５０の金属ケース１５１から引き剥がしても、保護テープ１００の構成部材がカメラモジュール１５０の金属ケース１５１に転写したり、カメラモジュール１５０の金属ケース１５１に施された塗装部分が剥がれたりすることはない。
【００７０】
このように本実施形態１によれば、内部に磁石を含むカメラモジュール（被着体）１５０に着脱可能に貼り付ける保護テープ１００を、絶縁性層からなるテープ基材１１０と、該絶縁性層に塗布あるいは混入された磁性体１１１とを含み、テープ基材１１０をカメラモジュール１５０に近づけたとき、磁性体１１１が、カメラモジュール１５０内の磁石に反応して、該保護テープ１００がカメラモジュール１５０に吸着するように構成としたので、保護テープが磁力によりカメラモジュール１５０に固着されることとなる。
【００７１】
このため、保護テープ１００には、保護テープ１００を貼り付けたカメラモジュール１５０の輸送経路や保管場所での環境（例えば、温度や湿度）によって特性変化が生ずるような材料（粘着剤としての糊成分）を用いる必要がなくなり、このような構成材料の特性変化によって引き起こされる、カメラモジュール１５０への糊成分の転写及び表面処理部分に対するダメージを防止することができる。
【００７２】
つまり、糊成分によりカメラモジュール１５０に固着する従来の保護テープのように、カメラモジュールの金属ケースなど、保護テープを貼り付ける対象である被着体に保護テープの構成材料（糊成分）が転写するといった不具合を招くことなく、被着体に貼り付けた保護テープを被着体から剥すことができ、しかも、この被着体の塗装部分などの表面処理部分が保護テープの構成材料（糊成分）の特性変化によりダメージを受けることもない。
【００７３】
なお、上記実施形態１では、電子部品モジュールとして、イメージセンサチップ１０、レンズ１５５、レンズホルダ１５６、およびレンズ駆動機構１５０ｂを収納した内側ケースを金属ケースで覆った構造のカメラモジュール１５０（図４（ａ）参照）を示したが、カメラモジュールは、図５に示すように、図４（ａ）に示すカメラモジュール１５０における金属ケースを取り除いた構造のカメラモジュール１６０でもよい。このカメラモジュール１６０では、その筐体は、内側ケースとしての下側カバー１５３および上側カバー１５４により形成されている。
【００７４】
このような図５に示すカメラモジュール１６０は、図４（ａ）に示すカメラモジュール１５０のように、カメラモジュール１６０で発生した高周波や磁石などの磁気が外部に漏れないようにシールドする機能を有するものではないが、図５に示すように、このカメラモジュール１６０に保護テープ１００を貼り付けた場合、カメラモジュール１６０内の磁石１５７から保護テープ１００までの距離は、外側ケース（金属ケース）１５１を有するカメラモジュール１５０に比べて短くなり、これにより保護テープ１００をカメラモジュール１６０に対してより強固に固着することができる。
【００７５】
また、上記実施形態１では、電子部品モジュールとして、その金属ケース内に、イメージセンサチップ１０、レンズ１５５、レンズホルダ１５６、およびレンズ駆動機構１５０ｂを収納してなるカメラモジュールを示したが、保護テープを貼り付ける対象である被着体としての電子部品モジュールは、このような構成のカメラモジュール１５０に限定されるものではなく、例えば、図８（ａ）に示すように、フレキシブル基板２５２の一端に接続した実装基板２５１上に図１（ａ）に示すカメラモジュール１５０を載置し、フレキシブル基板２５２の他端に取り付けたソケット２５３により、カメラモジュール１５０を携帯電話などの電子機器のソケットに接続可能な構成とした電子部品モジュール２５０でもよい。
【００７６】
この場合も、電子部品モジュール２５０を搬送する際には、図８（ｂ）に示すように、カメラモジュール１５０の金属ケース１５１の上面に、レンズ１５５が露出した開口部を覆うように保護テープ１００を貼り付けることで、搬送途中にカメラモジュール１５０にゴミが侵入したり、レンズに傷が入ったりするのを防止でき、さらには、この保護テープ１００の剥離の際に、この保護テープ１００の構成部材がカメラモジュール１５０に転写したり、カメラモジュール１５０の表面処理部分が保護テープ１００の構成部材によりダメージを受けるのを回避することができる。
【００７７】
さらに、このような電子部品モジュールは、上記フレキシブル基板２５２の中間部分にさらに実装基板を挿入し、この実装基板にカメラモジュール１５０から出力された信号を処理し、カメラモジュール１５０に供給する信号を処理する信号処理回路を搭載したものでもよい。
（実施形態２）
図３（ｂ）は、本発明の実施形態２による保護テープを説明する図である。
【００７８】
この保護テープ１００ａは、実施形態１の保護テープ１００と同様に、内部に磁石を含むカメラモジュールなどの、保護テープを貼り付ける対象である被着体に着脱可能に貼り付ける保護テープであるが、この保護テープ１００ａは、絶縁性層からなるテープ基材１２０と、絶縁性層に混入された鉄粉などの磁性体１２１とを含み、保護テープ１００ａをカメラモジュールなどの被着体に近づけたとき、この保護テープ１００ａの磁性体１２１が被着体に含まれる磁石に反応して、保護テープ１００ａが被着体に吸着するように構成されている。つまり、この実施形態２の保護テープ１００ａは、テープ基材１２０を構成する絶縁性層であるＰＥＴ樹脂層を、鉄粉などの磁性体をあらかじめ含有させた構造としたものである。
【００７９】
このような構成の本実施形態２の保護テープ１００ａでは、実施形態１の効果に加えて、テープ基材１２０を構成する絶縁性層（ＰＥＴ層）が鉄粉などの磁性体１２１を混入した構造となっているので、カメラモジュールの金属ケースに保護テープ１００ａを貼り付ける際に、金属ケースの表面と鉄粉などの磁性体との接触により、金属ケースの表面に傷が付いたり、金属ケースの塗装部分などの表面処理部分が削れたりするのを回避することができる効果がある。
【００８０】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【００８１】
本発明は、保護テープおよび電子部品モジュールの梱包方法の分野において、カメラモジュールの金属ケースなど、保護テープを貼り付ける対象である被着体に保護テープの構成材料が転写するといった不具合を招くことなく被着体から剥すことができ、しかも、この被着体の塗装部分などの表面処理部分が保護テープの構成材料によりダメージを受けることがない保護テープ、およびこのような保護テープを用いた電子部品モジュールの梱包方法を実現することができる。
【符号の説明】
【００８２】
１０  イメージセンサ
１１  撮像部
１２ａ〜１２ｃ  周辺回路
２０  搬送用トレイ
２１  トレイ容器
２２  上面
１００、１００ａ  保護テープ
１０１  被着体保護部
１０１ａ  把持片
１１０、１２０  テープ基材
１１１、１２１  磁性体
１５０  カメラモジュール（被着体）
１５０ａ  モジュール基板
１５０ｂ  レンズ駆動機構
１５１  金属ケース（筐体）
１５１ａ  ケース開口部
１５３  下側カバー
１５３ａ、１５４ａ  カバー開口部
１５４  上側カバー
１５５  レンズ
１５６  レンズホルダ
１５７  永久磁石
１５８  電磁石（コイル）
１５９  ＩＲカットフィルタ
Ｌａ  光軸
Ｓ１、Ｓ３  クリーンルーム
Ｓ２  輸送手段
Ｓｐ  部品収納ポケット
【図１】
2013242367.tif 000003
【図２】
2013242367.tif 000004
【図３】
2013242367.tif 000005
【図４】
2013242367.tif 000006
【図５】
2013242367.tif 000007
【図６】
2013242367.tif 000008
【図７】
2013242367.tif 000009
【図８】
2013242367.tif 000010
【図９】
2013242367.tif 000011
【図１０】
2013242367.tif 000012